(57)【要約】
【課題】            収納ラック上面部と天井壁等の支持面との間に適切な突っ張り力を付与して収納ラックの転倒防止を図ると共に、転倒防止手段の構成部分の一部が前面に露見しないようにし、外見上の体裁を良くする。
【解決手段】        ラック本体天板１３に突っ張り部材５が上下動可能に設けられ、この突っ張り部材５を、ラック本体天板１３より上方に位置する天井壁等の支持面３に圧接し、ラック本体１全体に床面方向の突っ張り力を付与してラック本体１を固定化する。突っ張り部材５は、ラック本体天板１３と螺合するガイド螺子６，６により上下動する。このガイド螺子６，６の下端部にはピン状の回転操作部材が設けられている。また、ラック本体１の上段部には目隠し部材２０が取り付けられており、ラック本体１の内部側に延びるガイド螺子６，６の延長部６ａを前面方向から隠している。
【選択図】          図１
0003101333.tif 000002
【実用新案登録請求の範囲】
【請求項１】
ラック本体の上面部に、突っ張り部材を上下動可能に設け、前記突っ張り部材を前記ラック本体の上面部より上方に位置する支持面に圧接し、前記ラック本体に上下方向の突っ張り力を付与して該ラック本体を固定化するように構成したことを特徴とする収納ラック。
【請求項２】
前記突っ張り部材に、ガイド螺子を回転自在に設け、該ガイド螺子を前記ラック本体上面部に螺入すると共に、前記ラック本体内部側に延長した前記ガイド螺子に回転操作部材を設け、該回転操作部材で前記ガイド螺子を回転させることにより、前記突っ張り部材を前記ラック本体上面部の上方に押し上げて前記支持面に圧接することを特徴とする請求項１に記載の収納ラック。
【請求項３】
前記ガイド螺子は、一端部に鍔部が空転するように取り付けられており、該鍔部を前記突っ張り部材に固定すると共に、前記ガイド螺子の下端部にピン状の回転操作部材を挿入することを特徴とする請求項２に記載の収納ラック。
【請求項４】
前記ラック本体内部の上段部に、前記突っ張り部材ガイド螺子を目隠しするための目隠し部材を設けたことを特徴とする請求項２又は請求項３に記載の収納ラック。
【請求項５】
前記目隠し部材を、前記突っ張り部材からラック本体上面部を貫通してラック本体内部側に延長したガイド螺子の前面部に配置することを特徴とする請求項４に記載の収納ラック。
【請求項６】
前記目隠し部材は、ラック本体に支持される水平板と、該水平板に立設される直立板を備えており、該直立板を前記ラック本体内部側に延長したガイド螺子の前面部に配置することを特徴とする請求項５に記載の収納ラック。
【請求項７】
前記直立板を前記水平板の後端部寄りに立設することを特徴とする請求項６に記載の収納ラック。
【考案の詳細な説明】
【技術分野】
【０００１】
本考案は、書籍、衣類、雑貨類等を収納する家庭用．オフィス用の収納ラックに関するものであり、特に、該収納ラックの転倒防止装置の改良に関するものである。
【背景技術】
【０００２】
従来から、家庭用またはオフィス用に使用される収納ラックの転倒防止のため、各種の転倒防止装置が提案され、市販されている。例えば伸縮自在の突っ張り棒を収納ラック上面部と天井面の間に設置して、収納ラック全体を床面方向に押圧するようにした装置が市販されている。また、最近提案された特許または特許出願として、例えば、下記特許文献１には、外箱体に内箱体を内挿し、内箱体を突張調整ボルトで上下動させるように構成し、これをラック本体の上段部に固定し、内箱体を上昇させて天井壁に圧接するようにした装置が開示されている。また下記特許文献２には、家具の上面部に固定された基板に、可動板を高さ調節用連結ネジで連結し、該連結ネジを回して前記可動板を上昇させ、天井壁等に圧接するようにすると共に、可動板に垂設された幕板で家具の上面部と天井壁の隙間を塞ぐようにした装置が開示されている。
【０００３】
【特許文献１】特許第３１６０５７７号公報
【特許文献２】特開２００２−２９１５５６号公報
【考案の開示】
【考案が解決しようとする課題】
【０００４】
しかしながら、上記市販の突っ張り棒は、地震等で強い応力が加わった場合、棒体が撓み、突っ張り棒自体が不意に外れたりする心配がある。また、収納ラックと別途に購入するため、収納ラックに適応しなかったりすることもある。一方、上記特許文献１に記載の装置は、特殊構造の収納ラック専用の転倒防止装置であるため、構成が複雑で製造コスト等も高くなり、取り付け方法も面倒である等の問題がある。また、特許文献２に記載の装置は、家具の上面部に高さ調節用連結ネジの穴を開けたり、該連結ネジを回転させるためにネジ回しを使用するなど、取り付け方法が面倒であり、しかも家具の上面部と天井壁の隙間が狭い場合は、幕板がかえって邪魔になる等の問題がある。
【０００５】
本考案は、上述のような従来技術を背景にして提案されたものである。即ち、本考案は、収納ラック上面部と天井壁等の支持面との間に適切な突っ張り力を付与し、強い揺れ等があっても収納ラックから外れることがないようにした収納ラックを提供することである。また本考案は、収納ラック本体の内部側に有する転倒防止手段の構成部分の一部が前面に露見しないようにし、外見上の体裁を損なわないようにした収納ラックを提供することである。さらに本考案は、転倒防止手段の構成が簡単で安価に製造することができ、取り付けも簡単に行うことができる収納ラックを提供することである。
【課題を解決するための手段】
【０００６】
上記課題を解決するために提案された本発明の収納ラックは、ラック本体の上面部に、突っ張り部材を上下動可能に設け、前記突っ張り部材を前記ラック本体の上面部より上方に位置する支持面に圧接し、前記ラック本体に上下方向の突っ張り力を付与して該ラック本体を固定化するように構成したことを特徴とする。
【０００７】
本考案が適用される収納ラックの種類、用途は任意であり、例えば書籍、衣類、雑貨等を収納する家庭用．オフィス用の収納ラックであり、この中には電化製品、インテリア商品等の置き台として使用される収納ラックも含まれる。収納ラック本体は、組み立て式でも一体固定式でもよい。前記突っ張り部材の形状は、天井壁等の支持面と安定して接触できるものであればよく、平板状、湾曲板状、吸盤状等、設置場所に応じて選択できる。前記支持面とは、天井壁のほかに、天井梁、張り出し枠体等、前記突っ張り部材からの突っ張り力を受け止めることができる所定の剛性を有する建築部材、その他の固定部材である。
【０００８】
前記突っ張り部材を上下動させる手段の一例として、前記突っ張り部材に、ガイド螺子を回転自在に設け、該ガイド螺子を前記ラック本体上面部に螺入すると共に、前記ラック本体内部側に延長した前記ガイド螺子に回転操作部材を設け、該回転操作部材で前記ガイド螺子を回転させることにより、前記突っ張り部材を前記ラック本体上面部の上方に押し上げて前記支持面に圧接することができる。
【０００９】
前記ガイド螺子は、一端部に鍔部が空転自在に取り付けられており、該鍔部を前記突っ張り部材に固定すると共に、前記ガイド螺子の下端部にピン状の回転操作部材を挿入している。これにより、ガイド螺子の突っ張り部材の取り付けを簡単に行うことができ、突っ張り部材の上下動操作も容易に行なうことができる。
【００１０】
一方、本考案は、前記ラック本体内部の上段部に、前記突っ張り部材ガイド螺子を目隠しするための目隠し部材を設けたことを特徴とする。一例として、前記目隠し部材を、前記突っ張り部材からラック本体上面部を貫通してラック本体内部側に延長したガイド螺子の前面部に配置する。これにより、ラック本体内部に延びたガイド螺子が、前面方向から見えなくなり、外見上の体裁が良くなる。前記目隠し部材の好ましい実施態様は、ラック本体に支持される水平板と、該水平板に立設される直立板を備えており、該直立板を前記ラック本体内部側に延長したガイド螺子の前面部に配置することである。該直立板は水平板の後端部寄りに立設するのが好ましい。このようにすれば、ガイド螺子の延長部を目隠しした状態で、その前面部に書籍等の収納物を収納することができる。
【考案の効果】
【００１１】
上述の請求項１の考案によれば、突っ張り部材を押し上げて、ラック本体の上面部より上方に位置する天井壁等の支持面に圧接することにより、ラック本体上面部と支持面の間に適切な突っ張り力が付与され、ラック本体の全体が床面方向に強く押し付けられるため、地震等の揺れからラック本体の転倒を防止することができる。また、突っ張り部材がラック本体から不意に外れるような心配もない。ラック本体を移動させるときは突っ張り部材を降下させるだけで突っ張り力を簡単に解除することができる。
【００１２】
また、請求項２及び請求項３の考案によれば、突っ張り部材を上下動させるための機構が簡単であるため、安価に製造でき、操作も簡易に行うことができる。さらに、請求項４及び請求項５の考案によれば、前記前記突っ張り部材からラック本体上面部を介してラック本体内部に延びたガイド螺子等を目隠しすることができるため、外見上の体裁も良くなり、ガイド螺子の前面部に書籍等の収納物を置くことができるため、スペースの有効利用が可能である。
【考案を実施するための最良の形態】
【００１３】
以下本考案の実施形態を添付図面に従って説明する。図１は本考案に係る収納ラックの全体図であり、ここでは下部ラック本体２に上部ラック本体１を積み重ね、これらが連結ボルト４，４で固定され、全体が天井壁３に近い高さとなっている。また、上部ラック本体１の上面部となる天板１３には突っ張り部材５がガイド螺子６，６により上下動可能に装着されると共に、上部ラック本体1の内部側の上段部に目隠し部材２０が取り付けられている。
【００１４】
前記上部ラック本体１及び下部ラック本体２は、家庭やオフィスにおいて組み立て分解ができるようになっている。ここでは、上部ラック本体１を例にとって、その構成と共に組み立て方を説明する。まず、図２（ａ）（ｂ）に示すように、左右の側面板１０，１０の下端部に底面板１１が固定螺子１２で固定され、同じように側面板１０，１０の上端部に天板１３が固定螺子１２で固定され、これにより（ｃ）に示すような箱状の外枠体が組み立てられる。この外枠体のコーナー部には補強のためのＬ字金具１４が固定螺子１５で固定される。なお、上部ラック本体天板１３の左右両端部には、図２（ｃ）に示すように螺子挿入孔１８，１８が形成されている。
【００１５】
前記突っ張り部材５は、図３に示すように、ここでは細長の平板状になっており、その左右両端部には前記ガイド螺子６，６が回転自在に取り付けられている。即ち、このガイド螺子６，６の一端部には、鍔部７がその一端部から抜け出ることなく空転するように取り付けられており、この鍔部７が突っ張り部材５に固定螺子１６で固定されている。
【００１６】
この突っ張り部材５を前記上部ラック本体天板１３に取り付けるに際しては、図４に示すように、ガイド螺子６，６を前記上部ラック本体１の天板１３に形成されたガイド螺子挿入孔１８、１８に螺入し、左右のガイド螺子６，６を交互にすこしずつ回転させる。これによりガイド螺子６，６がガイド螺子挿入孔１８，１８に導かれ，上部ラック本体１の内部側に延長することになる。
【００１７】
前記ガイド螺子延長部６ａには、図５に示すようなピン状の回転操作部材１９がガイド螺子６，６に対して直交方向に挿入されている。この回転操作部材１９を左右に回転することで、上部ラック本体天板１３の挿入孔１８、１８と螺合するガイド螺子６，６が上下動し、突っ張り部材５が昇降することになる。
【００１８】
一方、前記目隠し部材２０は、図６に示すように、水平板２１と、この水平板２１に立設され、固定螺子２３、２３により固定される直立板２２から成っている。そして、この目隠し部材２０を上部ラック本体１の上段部に取り付ける際は、図７に示すように、上部ラック本体１の左右側面板１０，１０の上部に形成されたピン差込孔２４，２４に棚受けピン２５，２５を差し込み、この棚受けピン２５，２５に目隠し部材２０の水平板２５を支架させる。この際、直立板２２は、上部ラック本体１の内部側におけるガイド螺子延長部６ａ，６ａの前面部に位置する。このため、該ガイド螺子延長部６ａ，６ａが上部ラック本体１の前方から見て遮蔽されることになる。この場合、図６に示すように、直立板２２を、水平板２１の後端部寄り（上部ラック本体１の背面側）に取り付け、即ち、Ｌ１を広く、Ｌ２を狭くなるように取り付けることにより、ガイドネジ延長部６ａ，６ａの前面スペースが有効利用できる。
【００１９】
なお、上部ラック本体１には、図１に示すように数段の棚板３０，３０，３０が、図７の目隠し部材２０と同じ要領で、棚受けピン２５，２５により取り付けられる。
【００２０】
以上は、上部ラック本体１の組み立て方法について説明したが、前記下部ラック本体２も、突っ張り部材５と目隠し部材２０が無いだけで、その構成及び組み立て方法は上部ラック本体１と同じであるから、ここではその説明を省略する。
【００２１】
上述した本考案の収納ラックを組み立てるに際しては、目隠し部材２０、棚板３０，３０，３０を取り付ける前に、下部ラック本体２に上部ラック本体１を積み上げて連結ボルト４，４で固定し、上部ラック本体天板１３が支持面３と所定間隔となるような高さとする。この場合、下部ラック本体２に代えて強固な他の家具等に上部ラック本体１を載せるようにしてもよい。
【００２２】
つぎに、ガイド螺子６，６の回転操作部材１９を回して前記突っ張り部材５を上昇させ、支持面３に所定圧力で圧接させる。これにより、収納ラック全体に床面方向への突っ張り力が生じ、該収納ラックが床面に対して固定化される。その後、目隠し部材２０、棚板３０，３０，３０を上述の方法で取り付け、各棚板３０，３０，３０と目隠し部材２０の水平板２１に書籍等の収納物を載置する。
【００２３】
上述した実施態様は、本考案の一例を示したものであり、実用新案登録請求の範囲に記載された字句等を解釈するにあったっては、上述した実施態様に限定して解釈すべきではなく、細部の構成の変更等は本考案の趣旨に基づいて変更が可能である。
【図面の簡単な説明】
【００２４】
【図１】本考案の収納ラックの全体図斜視図である。
【図２】本考案の上部ラック本体の組み立て手順を示した斜視図である。
【図３】本考案の突っ張り部材とガイド螺子の取り付け状態を示す斜視図である。
【図４】本考案の上部ラック本体と突っ張り部材の取り付け状態を示す斜視図である。
【図５】本考案のガイド螺子に回転操作部材を取り付けた状態の斜視図である。
【図６】本考案の目隠し部材の組み立て分解図である。
【図７】本考案の上部ラック本体と目隠し部材の取り付け状態を示す斜視図である。
【符号の説明】
【００２５】
１は上部ラック本体
２は下部ラック本体
３は支持面
４は連結ボルト
５は突っ張り部材
６はガイド螺子
７は鍔部
１０は側面板
１１は底面板
１３は上面部
１４はＬ字金具
１８はガイド螺子挿入孔
１９は回転操作部材
２０は目隠し部材
２１は水平板
２２は直立板
２５は棚受けピン
【図１】
0003101333.tif 000003
【図２】
0003101333.tif 000004
【図３】
0003101333.tif 000005
【図４】
0003101333.tif 000006
【図５】
0003101333.tif 000007
【図６】
0003101333.tif 000008
【図７】
0003101333.tif 000009